【手続補正書】
【提出日】平成15年2月14日(2003.2.14)
【手続補正１】
【補正対象書類名】明細書
【補正対象項目名】特許請求の範囲
【補正方法】変更
【補正の内容】
【特許請求の範囲】
【請求項１】
ａ）メチレンジフェニルイソシアネートまたはメチレンジフェニルイソシアネートと約５００〜１０００当量のポリテトラメチレンエーテルグリコールまたはポリオキシプロピレン／ポリオキシエチレンジオールまたはトリオールとよりなる少なくとも２１％の残留ＮＣＯを有するプレポリマー
ｂ）約５００〜１０００当量のポリテトラメチレンエーテルグリコール、および
ｃ）約１３００〜２０００当量のポリオキシプロピレン／ポリオキシエチレン−トリオールまたはポリオキシプロピレントリオール
の反応生成物である室温で液状の安定なプレポリマー（Ｐ）であって、
該プレポリマー（Ｐ）中の各成分の百分率（重量／重量）が約３２〜７２％の（ａ）、約５２〜２２％の（ｂ）および約６〜１５％の（ｃ）でありそしてプレポリマー（Ｐ）中の残留ＮＣＯ百分率が約６〜１８重量％であり、
プレポリマー（Ｐ）が室温で約１２００〜２６０００ｃｐｓの粘度を有し、そして
プレポリマー（Ｐ）がウレタンエラストマーを生成するために適当な硬化剤を用いて室温で硬化および注型できることを特徴とする、上記プレポリマー（Ｐ）。
【請求項２】
プレポリマー（Ｐ）中の残留ＮＣＯの百分率（重量／重量）が約１１．５〜１３．５％でありそしてプレポリマー（Ｐ）が約３５００〜５０００ｃｐｓの室温粘度を有する、請求項１に記載のプレポリマー。
【請求項３】
ａ）がメチレンジフェニルイソシアネートである、請求項１に記載のプレポリマー（Ｐ）。
【請求項４】
ｃ）が約１３００〜２０００当量のポリオキシプロピレン／ポリオキシエチレン−トリオールである、請求項１に記載のプレポリマー（Ｐ）。
【請求項５】
ａ）がウレトンイミンで変性されたメチレンジフェニルイソシアネートである、請求項１に記載のプレポリマー（Ｐ）。
【請求項６】
ｂ）が約５００当量を有する、請求項１に記載のプレポリマー（Ｐ）。
【請求項７】
ｂ）が約１０００当量を有する、請求項１に記載のプレポリマー（Ｐ）。
【請求項８】
ａ）がメチレンジフェニルイソシアネートと約５００〜１０００当量を有するポリテトラメチレンエーテルグリコールとの予めに製造された反応生成物である、請求項１に記載のプレポリマー（Ｐ）。
【請求項９】
ａ）がメチレンジフェニルイソシアネートと約５００〜１０００当量を有するポリオキシプロピレン／ポリオキシエチレンジオールとの予めに製造された反応生成物である、請求項１に記載のプレポリマー（Ｐ）。
【請求項１０】
実質的に
（１）約１０００〜２０００当量のポリオキシプロピレン／ポリオキシエチレン−ジオール、（２）約１３００〜２０００当量のポリオキシプロピレン／ポリオキシエチレン−トリオール、（３）約２５〜１２５当量を有する連鎖延長剤、
（４）請求項１に規定されている室温で液状の安定なプレポリマー（Ｐ）、（５）希釈剤、（６）脱気助剤、および（７）ウレタン触媒よりなり；
その際にそれぞれが３０〜９０％、３〜２０％、５〜３０％、０〜３０％、０〜１５％、０．００１〜０．０５％および０．０１〜０．５％（重量／重量）の相対的量である
室温で液状の適当な、請求項１に記載の硬化剤。
【請求項１１】
実質的に
（１）約１０００〜２０００当量のポリオキシプロピレン／ポリオキシエチレン−ジオール、（２）約１３００〜２０００当量のポリオキシプロピレン／ポリオキシエチレン−トリオール、（３）約２５〜１２５当量を有する連鎖延長剤、（４）６〜１８％の残留ＮＣＯを有する室温で液状の安定なプレポリマー（Ｐ）、（５）希釈剤、（６）脱気助剤、および（７）ウレタン触媒よりなり；
その際にそれぞれが３０〜９０％、３〜２０％、５〜３０％、０〜３０％、０〜１５％、０．００１〜０．０５％および０．０１〜０．５％の相対的量（重量／重量）である、
ほぼ化学量論量の液状の硬化剤と室温で硬化されている、請求項１に記載のプレポリマー（Ｐ）。
【請求項１２】
硬化剤中の（４）および（５）の量がそれぞれ１０〜２０重量％および５〜１５重量％である、請求項１１に記載の硬化したプレポリマー。
【請求項１３】
実質的に
（１）約１０００〜２０００当量のポリオキシプロピレン／ポリオキシエチレン−ジオール、（２）約１３００〜２０００当量のポリオキシプロピレン／ポリオキシエチレン−トリオール、（３）約２５〜１２５当量を有する連鎖延長剤、（４）請求項１に規定されている室温で液状の安定なプレポリマー（Ｐ）、（５）希釈剤、（６）脱気助剤、および（７）ウレタン触媒よりなり；
その際にそれぞれが３０〜９０％、３〜２０％、５〜３０％、０〜３０％、０〜１５％、０．００１〜０．０５％および０．０１〜０．５％（重量／重量）の相対的量であり、混合しそして室温で７日間硬化させた後に以下の性質を有する硬化したウレタンエラストマーをもたらす、請求項１の室温で液状の適当な硬化剤：
2004503628.tif 000001
【請求項１４】
実質的に
（１）約１０００〜２０００当量のポリオキシプロピレン／ポリオキシエチレン−ジオール、（２）約１３００〜２０００当量のポリオキシプロピレン／ポリオキシエチレン−トリオール、（３）約２５〜１２５当量を有する連鎖延長剤、（４）６〜１８％の残留ＮＣＯを有する室温で液状の安定なプレポリマー（Ｐ）、（５）希釈剤、（６）脱気助剤、および（７）ウレタン触媒よりなり；
その際にそれぞれが３０〜９０％、３〜２０％、５〜３０％、０〜３０％、０〜１５％、０．００１〜０．０５％および０．０１〜０．５％の相対的量（重量／重量）であり、混合しそして室温で７日間硬化させた後に以下の性質を有する硬化ウレタンエラストマーをもたらす、ほぼ化学量論量の液状の硬化剤と室温で硬化されている、請求項２に記載のプレポリマー（Ｐ）：
2004503628.tif 000002
【請求項１５】
硬化剤中の（４）および（５）の量がそれぞれ１０〜２０重量％および５〜１５重量％である、請求項１４に記載の硬化したプレポリマー。
【請求項１６】
プレポリマー（Ｐ）が硬化剤を規準として化学量論的に約１３％まで過剰に存在する、請求項１４に記載の硬化したプレポリマー。
【請求項１７】
プレポリマー（Ｐ）が硬化剤を規準として化学量論的に約２から７％過剰に存在する、請求項１６に記載の硬化したプレポリマー。
【請求項１８】
ａ）、ｂ）およびｃ）の百分率（重量／重量）がそれぞれ約５４％、約３６％および約１０％である、請求項２に記載のプレポリマー（Ｐ）。
【請求項１９】
実質的に
（１）約１０００〜２０００当量のポリオキシプロピレン／ポリオキシエチレン−ジオール、（２）約１３００〜２０００当量のポリオキシプロピレン／ポリオキシエチレン−トリオール、（３）約２５〜１２５当量を有する連鎖延長剤、（４）１１．５〜１３．５％の残留ＮＣＯを有する室温で液状の安定なプレポリマー（Ｐ）、（５）希釈剤、（６）脱気助剤、および（７）ウレタン触媒よりなり；
その際にそれぞれが約５４％、１３％、１０％、１５％、８％、０．００５％および０．００６％の相対的量（重量／重量）である
ほぼ化学量論量の硬化剤で硬化した、請求項１８に記載のプレポリマー（Ｐ）。
【請求項２０】
硬化剤が室温で約３０００〜５０００ｃｐｓの粘度および約１．０５〜１．０８の比重を有する、請求項１９に記載の硬化したプレポリマー（Ｐ）。
【請求項２１】
プレポリマー（Ｐ）が硬化剤を規準として化学量論的に約１３％まで過剰に存在する、請求項２０に記載の硬化したプレポリマー。
【請求項２２】
プレポリマー（Ｐ）が硬化剤を規準として化学量論的に約２〜７％過剰に存在する、請求項２１に記載の硬化したプレポリマー。
【請求項２３】
混合しそして室温で７日間硬化させた後に以下の性質を有す請求項２２に記載の硬化したプレポリマー（Ｐ）：
2004503628.tif 000003
【請求項２４】
脱気助剤がシリコーンエマルジョンである、請求項２３に記載の硬化したプレポリマー（Ｐ）。
【請求項２５】
触媒がトリエチレンジアミンと２，３−ジメチルテトラヒドロピリミジンまたはネオデカン酸ビスマスとの混合物である、請求項２３に記載の硬化したプレポリマー（Ｐ）。
【請求項２６】
脱気助剤がシリコーンエマルジョンでありそして触媒がトリエチレンジアミンと２，３−ジメチルテトラヒドロピリミジンまたはネオデカン酸ビスマスとの混合物である、請求項２３に記載の硬化したプレポリマー（Ｐ）。
【請求項２７】
請求項１の別に包装されたプレポリマー（Ｐ）と実質的に（１）約１０００〜２０００当量のポリオキシプロピレン／ポリオキシエチレン−ジオール、（２）約１３００〜２０００当量のポリオキシプロピレン／ポリオキシエチレン−トリオール、（３）約２５〜１２５当量を有する連鎖延長剤、（４）６から１８％の残留ＮＣＯを有する室温で液状の安定なプレポリマー（Ｐ）、（５）希釈剤、（６）脱気助剤、および（７）ウレタン触媒よりなり；
その際にそれぞれが３０〜９０％、３〜２０％、５〜３０％、０〜３０％、０〜１５％、０．００１〜０．０５％および０．０１〜０．５％の相対的量（重量／重量）である別に包装された硬化剤とよりなるセット。
【請求項２８】
硬化剤が室温で約３００〜５００００ｃｐｓの粘度および約１．０２〜１．１５の比重を有する、請求項２７に記載のセット。
【請求項２９】
請求項２の別に包装されたプレポリマー（Ｐ）と実質的に（１）約１０００〜２０００当量のポリオキシプロピレン／ポリオキシエチレン−ジオール、（２）約１３００〜２０００当量のポリオキシプロピレン／ポリオキシエチレン−トリオール、（３）約２５〜１２５当量を有する連鎖延長剤、（４）６〜１８％の残留ＮＣＯを有する室温で液状の安定なプレポリマー（Ｐ）、（５）希釈剤、（６）脱気助剤、および（７）ウレタン触媒よりなり；
その際にそれぞれが３０〜９０％、３〜２０％、５〜３０％、０〜３０％、０〜１５％、０．００１〜０．０５％および０．０１〜０．５％の相対的量（重量／重量）でありそして室温で約３００〜５００００ｃｐｓの粘度を有する別に包装された硬化剤とよりなるセット。
【請求項３０】
硬化剤中の（４）および（５）の量がそれぞれ１０〜２０重量％および５〜１５重量％である、請求項２９に記載のセット。
【請求項３１】
硬化剤が実質的にほぼ以下の百分率（重量／重量）の上記の成分で構成され；５４％、１３％、１０％、１５％、８％、０．００５％および０．００６％そして室温で約３０００〜５０００ｃｐｓの粘度および約１．０５〜１．０８の比重を有する、請求項２９に記載のセット。
【請求項３２】
プレポリマー中のａ）、ｂ）およびｃ）の百分率（重量／重量）がそれぞれ約５４％、約３６％および約１０％である、請求項３１に記載のセット。
【請求項３３】
硬化剤中の脱気助剤がシリコーンエマルジョンでありそして触媒がトリエチレンジアミンと２，３−ジメチルテトラヒドロピリミジンまたはネオデカン酸ビスマスの混合物である、請求項３１に記載のセット。
【請求項３４】
ｃ）が約１３００〜２０００当量のポリオキシプロピレンである、請求項１に記載のプレポリマー（Ｐ）。
【請求項３５】
ａ）メチレンジフェニルイソシアネートまたはメチレンジフェニルイソシアネートと約５００〜１０００当量のポリテトラメチレンエーテルグリコールまたはポリオキシプロピレン／ポリオキシエチレンジオールまたはトリオールとよりなる少なくとも２１％の残留ＮＣＯを有するプレポリマー
ｂ）約５００〜１０００当量のポリテトラメチレンエーテルグリコール、および
ｃ）約１３００〜２０００当量のポリオキシプロピレン／ポリオキシエチレン−トリオールまたはポリオキシプロピレントリオール
の反応生成物であるプレポリマー（Ｐ）を反応させた反応生成物であるウレタンエラストマーであって、
該プレポリマー（Ｐ）中の各成分の百分率（重量／重量）が約３２〜７２％の（ａ）、約５２〜２２％の（ｂ）および約６〜１５％の（ｃ）でありそしてプレポリマー（Ｐ）中の残留ＮＣＯ百分率が約６〜１８重量％であり、実質的に以下の成分：（１）約１０００〜２０００当量のポリオキシプロピレン／ポリオキシエチレン−ジオール、（２）約１３００〜２０００当量のポリオキシプロピレン／ポリオキシエチレン−トリオール、（３）約２５〜１２５当量を有する連鎖延長剤、（４）６〜１８％の残留ＮＣＯを有する室温で液状の安定なプレポリマー（Ｐ）、（５）希釈剤、（６）脱気助剤、および（７）ウレタン触媒よりなり；
その際にそれぞれが３０〜９０％、３〜２０％、５〜３０％、０〜３０％、０〜１５％、０．００１〜０．０５％および０．０１〜０．５％の相対的量（重量／重量）である、
よりなるほぼ化学量論量の液状硬化剤で室温で硬化する、上記ウレタンエラストマー。
【請求項３６】
プレポリマー（Ｐ）中の残留ＮＣＯの百分率が約１１．５〜１３．５％（重量／重量）でありそしてプレポリマー（Ｐ）が約５５０〜５００００ｃｐｓの室温粘度を有し，混合しそして室温で７日間硬化させた後に以下の性質を有する硬化したウレタンエラストマーをもたらす：
2004503628.tif 000004
請求項３５のウレタンエラストマー。
【請求項３７】
残留ＮＣＯの百分率が約１１．５〜１３．５重量％でありそしてプレポリマー（Ｐ）が約３５００〜５０００ｃｐｓの室温粘度を有しそして硬化剤中の（４）および（５）の量がそれぞれ１０〜２０％および５〜１５％（重量／重量）である請求項３６に記載のウレタンエラストマー。
【請求項３８】
硬化剤中の（４）および（５）の量がそれぞれ１０〜２０％および５〜１５％（重量／重量）である、請求項３６に記載のウレタンエラストマー。
【請求項３９】
プレポリマー（Ｐ）が硬化剤を規準として化学量論的に約１３％まで過剰に存在する、請求３６に記載のウレタンエラストマー。
【請求項４０】
プレポリマー（Ｐ）が硬化剤を規準として化学量論的に約２〜７％過剰に存在する、請求項３９に記載のウレタンエラストマー。
【請求項４１】
プレポリマー（Ｐ）が安定なプレポリマー（Ｐ）の重量を規準としてそれぞれ約５４％、約３６％および約１０％（重量／重量）のａ）、ｂ）およびｃ）成分よりなる、請求項３５のウレタンエラストマー。
【請求項４２】
実質的に
（１）約１０００〜２０００当量のポリオキシプロピレン／ポリオキシエチレン−ジオール、（２）約１３００〜２０００当量のポリオキシプロピレン／ポリオキシエチレン−トリオール、（３）約２５〜１２５当量を有する連鎖延長剤、（４）１１．５〜１３．５％の残留ＮＣＯを有する室温で液状の安定なプレポリマー（Ｐ）、（５）希釈剤、（６）脱気助剤、および（７）ウレタン触媒よりなり；
その際にそれぞれが約５４％、１３％、１０％、１５％、８％、０．００５％および０．００６％の相対的量（重量／重量）である
ほぼ化学量論量の硬化剤で硬化した、請求項４１に記載のウレタンエラストマー。
【請求項４３】
硬化剤が室温で約３０００〜５０００ｃｐｓの粘度および約１．０５〜１．０８の比重を有する、請求項４２に記載のウレタンエラストマー。
【請求項４４】
プレポリマー（Ｐ）が硬化剤を規準として化学量論的に約１３％まで過剰に存在する、請求項４３に記載のウレタンエラストマー。
【請求項４５】
プレポリマー（Ｐ）が硬化剤を規準として化学量論的に約２〜７％過剰に存在する、請求項４４に記載のウレタンエラストマー。
【請求項４６】
混合しそして室温で７日間硬化させた後に以下の性質である請求項４５に記載のウレタンエラストマー：
2004503628.tif 000005
【請求項４７】
脱気助剤がシリコーンエマルジョンである、請求項４６に記載のウレタンエラストマー。
【請求項４８】
触媒がトリエチレンジアミンと２，３−ジメチルテトラヒドロピリミジンまたはネオデカン酸ビスマスとの混合物である、請求項４６に記載のウレタンエラストマー。
【請求項４９】
脱気助剤がシリコーンエマルジョンでありそして触媒がトリエチレンジアミンと２，３−ジメチルテトラヒドロピリミジンまたはネオデカン酸ビスマスとの混合物である、請求項４６に記載のウレタンエラストマー。
【請求項５０】
請求項３５の別に包装されたプレポリマー（Ｐ）と請求項３５の別に包装された液体硬化剤とよりなるセット。
【請求項５１】
別に包装された液体硬化剤が室温で約３００〜５００００ｃｐｓの粘度および約１．０２〜１．１５の比重を有する、請求項５０に記載のセット。
【請求項５２】
プレポリマー（Ｐ）中の残留ＮＣＯの百分率が約１１．５〜１３．５重量％（重量／重量）でありそしてプレポリマー（Ｐ）が約３５００〜５０００ｃｐｓの室温粘度を有する、請求項５０に記載のセット。